(57)【要約】【課題】換気による給気の湿度によって、衣類が最も速く乾燥するように除湿と加熱と換気を組み合わせた制御を行う衣類乾燥機を提供することを目的としている。【解決手段】衣類乾燥機は、圧縮機１、凝縮器２、膨張弁３、蒸発器４、マイクロコンピューター７、送風ファン８、換気ファン１７、吸気口２３、湿度センサー２７、ダンパー２８〜３０を備える。衣類乾燥が開始されると、マイクロコンピューター７は換気ファン１７を動かし、吸気口２３から流入した別室の湿度を吸気空気の湿度φvとして湿度センサー２７で検知する。φvが設定値φ1よりも小さい場合は加熱と換気によって衣類を乾燥させ、そうでない場合は除湿と換気によって衣類を乾燥させることにより、給気の湿度に応じて除湿と加熱と換気を組み合わせた制御を行い、衣類を速く乾燥させることができる。【選択図】図１
2010042189.tif 000002
【特許請求の範囲】
【請求項１】
換気せずに室内空気の絶対湿度を低下させる除湿運転と室内空気を加熱する加熱運転を行うことができる除湿加熱手段と、前記除湿加熱手段の除湿運転と加熱運転とを切替える運転切替え手段と、室内の空気を排出する換気運転を行う換気手段と、換気による給気の湿度を検知する給気湿度検知手段と、前記除湿加熱手段と前記運転切替え手段と前記換気手段を制御する制御手段を備え、前記制御手段は前記給気湿度検知手段の検知した湿度が所定の値よりも低い場合に前記換気手段により換気運転を行うとともに前記除湿加熱手段と前記運転切替え手段により加熱運転を行う衣類乾燥機。
【請求項２】
圧縮機、凝縮器、膨張弁、蒸発器と室内の空気を吸って再び室内に空気を吹出す送風手段からなる空調手段と、前記空調手段の室内空気の絶対湿度を低下させる除湿運転と室内空気を加熱する加熱運転とを切替える運転切替え手段と、室内の空気を排出する換気運転を行う換気手段と、換気による給気の湿度を検知する給気湿度検知手段と、前記空調手段と前記運転切替え手段と前記換気手段を制御する制御手段を備え、前記制御手段は前記給気湿度検知手段の検知した湿度が所定の値よりも低い場合に前記換気手段により換気運転を行うとともに前記空調手段と前記運転切替え手段により加熱運転を行う衣類乾燥機。
【請求項３】
運転切替え手段は、換気手段による換気風路と送風手段による循環風路のいずれかの風路上に蒸発器が配置されるように風路を切替えるダンパーである請求項２に記載の衣類乾燥機。
【請求項４】
衣類を乾燥させる室とは異なる室から排気する別室換気手段を備え、運転切替え手段は、前記別室換気手段による別室換気風路と送風手段による循環風路のいずれかの風路上に蒸発器が配置されるように風路を切替えるダンパーである請求項２に記載の衣類乾燥機。
【請求項５】
制御手段は給気湿度検知手段の検知した湿度が所定の値よりも高い場合に除湿運転を行う請求項１〜４のいずれか１項に記載の衣類乾燥機。
【請求項６】
室内の温度を検知する室内温度検知手段を備え、制御手段は前記室内温度検知手段の検知した温度が所定の値よりも低い場合には加熱運転を行い、所定の値よりも高い場合には除湿運転を行う請求項５に記載の衣類乾燥機。
【請求項７】
換気による給気の温度を検知する給気温度検知手段を備え、制御手段は前記給気温度検知手段が検知した温度が所定の値よりも低い場合には除湿運転を行う前に加熱運転を行う請求項５または６に記載の衣類乾燥機。
【請求項８】
室内の温度を検知する室内温度検知手段を備え、制御手段は前記室内温度検知手段が検知した温度が所定の値よりも高い場合には換気手段により換気運転を行う請求項５または６に記載の衣類乾燥機。
【請求項９】
換気による給気の温度を検知する給気温度検知手段を備え、制御手段は前記給気温度検知手段が検知した温度が所定の値よりも高い場合には換気手段により換気運転を行う請求項５または７に記載の衣類乾燥機。
【請求項１０】
制御手段は給気湿度検知手段が検知した湿度が低いほど換気量が大きくなるように換気手段を制御する請求項８または９に記載の衣類乾燥機。
【請求項１１】
制御手段は室内温度検知手段または給気温度検知手段が検知した温度が高いほど換気量が大きくなるように換気手段を制御する請求項８〜１０のいずれか１項に記載の衣類乾燥機。
【請求項１２】
衣類を乾燥させる室とは異なる室から排気する別室換気手段を備え、前記別室換気風路内に給気温度検知手段または給気湿度検知手段を配置した請求項２〜１１のいずれか１項に記載の衣類乾燥機。
【請求項１３】
使用者が室内で乾燥する衣類の量を指定する衣類量指定手段を備え、衣類の量が多いと指定された場合、制御手段は換気手段により換気運転を行うとともに加熱運転を行う所定の値を衣類の量が少ないと指定された場合よりも低くする請求項１または２に記載の衣類乾燥機。
【請求項１４】
使用者が室内で乾燥する衣類の量を指定する衣類量指定手段を備え、衣類の量が多いと指定された場合、制御手段は加熱運転と除湿運転とを切替える所定の値を、衣類の量が少ないと指定された場合よりも低くする請求項６に記載の衣類乾燥機。
【請求項１５】
使用者が室内で乾燥する衣類の量を指定する衣類量指定手段を備え、衣類の量が多いと指定された場合、制御手段は除湿運転の前に加熱運転を行う所定の値を、衣類の量が少ないと指定された場合よりも低くする請求項７に記載の衣類乾燥機。
【請求項１６】
使用者が室内で乾燥する衣類の量を指定する衣類量指定手段を備え、衣類の量が多いと指定された場合、制御手段は衣類の量が少ないと指定された場合よりも換気量を大きくする請求項８〜１１のいずれか１項に記載の衣類乾燥機。
【発明の詳細な説明】
【技術分野】
【０００１】
本発明は、一般的な住宅において衣類を乾燥させる目的で使用される衣類乾燥機に関するものである。
【背景技術】
【０００２】
洗濯後の衣類は屋外で干され、日光による天日乾燥が一般的であった。しかし近年共働き世帯や単身世帯が増加し、日中に雨が降っても取り込めないため、または夜に洗濯をするため、あるいは盗難を防いだりするために室内や浴室で衣類を乾燥させるケースが増えている。
【０００３】
室内、特に浴室で衣類を吊った状態で乾燥させる場合、加熱、送風、換気の機能を持った衣類乾燥機を用いて強制的に加熱、送風、換気を行うことにより短時間で衣類を乾燥させることが一般的に行われている。しかしヒーターを用いて加熱をする場合には消費エネルギーが大きくなるという問題があり、この問題を解決するために冷凍サイクルを利用した衣類乾燥機が提案されている。
【０００４】
冷凍サイクルを用いて加熱する場合にはヒーターを用いて加熱する場合よりも効率がよく、消費エネルギーを抑制することができる。また冷凍サイクルを用いて除湿する場合にも消費エネルギーを抑制することができる。しかしエネルギー消費を最も小さくするため、言い換えれば乾燥時間を最も短くするためには加熱と除湿をどのように組み合わせると良いのかということは十分に明らかになっていない。
【０００５】
従来の衣類乾燥機について、図８を参照しながら説明する（例えば、特許文献１参照）。図８は従来の衣類乾燥機を真上から見た状態を示す断面構成図である。
【０００６】
従来の衣類乾燥機は浴室において使用され、圧縮機１０１、凝縮器１０２、膨張弁１０３、蒸発器１０４ａ、１０４ｂ、使用する蒸発器を切替えるための四方弁１０５（図示せず）、浴室内の空気を吸って除湿または加熱した後に再び浴室内に吹出す送風ファン１０６（点線で図示）からなる空調装置と、浴室内の空気を排出する換気ファン１０７と、浴室内の温度を検知する温度センサー１０８と、空調装置及び各ファンの動作を制御するマイクロコンピューター１０９を備えている。
【０００７】
マイクロコンピューター１０９は、温度センサー１０８の検知した温度が予め設定された値以下の場合には四方弁１０５を操作して冷媒が蒸発器１０４ｂを通るようにし、圧縮機１０１と送風ファン１０６と換気ファン１０７を作動させることにより、排気する空気を蒸発器１０４ｂと熱交換させて冷却すると同時に室内の空気を凝縮器１０２と熱交換させて加熱する。また温度センサー１０８の検知した温度が予め設定された値以上の場合には四方弁１０５を操作して冷媒が蒸発器１０４ａを通るようにし、圧縮機１０１と送風ファン１０６を作動させることにより、室内の空気を蒸発器１０４ａ及び凝縮器１０２と熱交換させて除湿する。
【特許文献１】特開昭６２−１９４８９９号公報
【発明の開示】
【発明が解決しようとする課題】
【０００８】
加熱と換気により衣類を乾燥させる場合、その乾燥能力は加熱によるものと換気によるものの両方に依存する。加熱による乾燥能力は加熱量であり、加熱量は冷凍サイクルを利用する場合には条件によってあまり変化しない。また換気による乾燥能力は給気が高温低湿であるほど大きくなる。一方除湿により衣類を乾燥させる場合、その乾燥能力は除湿量に依存する。除湿量は冷凍サイクルを利用する場合には室内の温度がある範囲のときに最大になり、室内の温度がその範囲より低くても高くても大きく低下する。また室内が同じ温度の場合では室内の湿度が高いほど除湿量が大きい。
【０００９】
前述したような従来の衣類乾燥機では換気による給気が低湿度の場合にその大きな乾燥能力を有効的に利用できておらず、結果として衣類の乾燥に要する時間が長くなってしまうという課題があった。また室内の温度が高温の場合に除湿量が低下してしまい、衣類の乾燥に要する時間が長くなってしまうという課題があった。
【００１０】
本発明はこのような従来の課題を解決するものであり、換気による給気が低湿度の場合に加熱と換気を行い、また室内温度が高温の場合に除湿と換気を行うことにより、衣類が最も速く乾燥するように除湿と加熱と換気を組み合わせた制御を行う衣類乾燥機を提供することを目的としている。
【課題を解決するための手段】
【００１１】
本発明は、上記目標を達成するために、換気せずに室内空気の絶対湿度を低下させる除湿運転と室内空気を加熱する加熱運転を行うことができる除湿加熱手段と、前記除湿加熱手段の除湿運転と加熱運転とを切替える運転切替え手段と、室内の空気を排出する換気運転を行う換気手段と、換気による給気の湿度を検知する給気湿度検知手段と、前記除湿加熱手段と前記運転切替え手段と前記換気手段を制御する制御手段を備え、前記制御手段は前記給気湿度検知手段の検知した湿度が所定の値よりも低い場合に前記換気手段により換気運転を行うとともに前記除湿加熱手段と前記運転切替え手段により加熱運転を行う衣類乾燥機である。
【００１２】
この手段により、換気による給気の湿度が比較的低い場合には換気によって室内の湿気を効率よく排出することができ、同時に加熱によって室内の温度を比較的高くすることができるため、除湿を行うよりも衣類を速く乾燥させることが可能であり、換気による給気の湿度が比較的低い場合に衣類が最も速く乾燥するように除湿と加熱と換気を組み合わせた制御を行う衣類乾燥機が得られる。
【００１３】
また他の手段は、圧縮機、凝縮器、膨張弁、蒸発器と室内の空気を吸って再び室内に空気を吹出す送風手段からなる空調手段と、前記空調手段の室内空気の絶対湿度を低下させる除湿運転と室内空気を加熱する加熱運転とを切替える運転切替え手段と、室内の空気を排出する換気運転を行う換気手段と、換気による給気の湿度を検知する給気湿度検知手段と、前記空調手段と前記運転切替え手段と前記換気手段を制御する制御手段を備え、前記制御手段は前記給気湿度検知手段の検知した湿度が所定の値よりも低い場合に前記換気手段により換気運転を行うとともに前記空調手段と前記運転切替え手段により加熱運転を行う衣類乾燥機である。
【００１４】
この手段により、換気による給気の湿度が比較的低い場合には換気によって室内の湿気を効率よく排出することができ、同時に加熱によって室内の温度を比較的高くすることができるため、除湿を行うよりも衣類を速く乾燥させることが可能であり、換気による給気の湿度が比較的低い場合に衣類が最も速く乾燥するように除湿と加熱と換気を組み合わせた制御を行う衣類乾燥機が得られる。
【００１５】
また他の手段は、運転切替え手段は、換気手段による換気風路と送風手段による循環風路のいずれかの風路上に蒸発器が配置されるように風路を切替えるダンパーである衣類乾燥機である。
【００１６】
この手段により、蒸発器を分割することなく除湿と加熱を切替える衣類乾燥機が得られる。
【００１７】
また他の手段は、衣類を乾燥させる室とは異なる室から排気する別室換気手段を備え、運転切替え手段は、前記別室換気手段による別室換気風路と送風手段による循環風路のいずれかの風路上に蒸発器が配置されるように風路を切替えるダンパーである衣類乾燥機である。
【００１８】
この手段により、十分な加熱量を確保する衣類乾燥機が得られる。
【００１９】
また他の手段は、制御手段は給気湿度検知手段の検知した湿度が所定の値よりも高い場合に除湿運転を行う衣類乾燥機である。
【００２０】
この手段により、換気による給気の湿度が比較的高い場合には換気によって室内の湿気を効率よく排出することができないため、加熱と換気を行う場合よりも衣類を速く乾燥させることが可能であり、換気による給気の湿度が比較的高い場合に衣類が最も速く乾燥するように除湿と加熱と換気を組み合わせた制御を行う衣類乾燥機が得られる。
【００２１】
また他の手段は、室内の温度を検知する室内温度検知手段を備え、制御手段は前記室内温度検知手段の検知した温度が所定の値よりも低い場合には加熱運転を行い、所定の値よりも高い場合には除湿運転を行う衣類乾燥機である。
【００２２】
この手段により、低温時には除湿量が低下するため、はじめから除湿を行う場合よりも室温が上昇した後に除湿を始めることで衣類を速く乾燥させることが可能であり、室内の温度が比較的低い場合に衣類が最も速く乾燥するように除湿と加熱と換気を組み合わせた制御を行う衣類乾燥機が得られる。
【００２３】
また他の手段は、換気による給気の温度を検知する給気温度検知手段を備え、制御手段は前記給気温度検知手段が検知した温度が所定の値よりも低い場合には除湿運転を行う前に加熱運転を行う衣類乾燥機である。
【００２４】
この手段により、低温時には除湿量が低下するため、はじめから除湿を行う場合よりもはじめに加熱をして室温が上昇した後に除湿を始めることで衣類を速く乾燥させることが可能であり、室内の温度が比較的低い場合に衣類が最も速く乾燥するように除湿と加熱と換気を組み合わせた制御を行う衣類乾燥機が得られる。
【００２５】
また他の手段は、室内の温度を検知する室内温度検知手段を備え、制御手段は前記室内温度検知手段が検知した温度が所定の値よりも高い場合には換気手段により換気運転を行う衣類乾燥機である。
【００２６】
この手段により、高温時には除湿量が低下するため、除湿のみを行う場合よりも換気をして室温上昇を抑制しながら除湿を行うことにより衣類を速く乾燥させることが可能であり、室内の温度が比較的高い場合に衣類が最も速く乾燥するように除湿と加熱と換気を組み合わせた制御を行う衣類乾燥機が得られる。
【００２７】
また他の手段は、換気による給気の温度を検知する給気温度検知手段を備え、制御手段は前記給気温度検知手段が検知した温度が所定の値よりも高い場合には換気手段により換気運転を行う衣類乾燥機である。
【００２８】
この手段により、高温時には除湿量が低下するため、除湿のみを行う場合よりも換気をして室温上昇を抑制しながら除湿を行うことにより衣類を速く乾燥させることが可能であり、室内の温度が比較的高い場合に衣類が最も速く乾燥するように除湿と加熱と換気を組み合わせた制御を行う衣類乾燥機が得られる。
【００２９】
また他の手段は、制御手段は給気湿度検知手段が検知した湿度が低いほど換気量が大きくなるように換気手段を制御する衣類乾燥機である。
【００３０】
この手段により、除湿をしながら換気を行う場合に衣類が最も速く乾燥するように換気量を設定する衣類乾燥機が得られる。
【００３１】
また他の手段は、制御手段は室内温度検知手段または給気温度検知手段が検知した温度が高いほど換気量が大きくなるように換気手段を制御する衣類乾燥機である。
【００３２】
この手段により、除湿をしながら換気を行う場合に衣類が最も速く乾燥するように換気量を設定する衣類乾燥機が得られる。
【００３３】
また他の手段は、衣類を乾燥させる室とは異なる室から排気する別室換気手段を備え、前記別室換気風路内に給気温度検知手段または給気湿度検知手段を配置した衣類乾燥機である。
【００３４】
この手段により、簡易な構造で換気による給気の温度または湿度を推測する衣類乾燥機が得られる。
【００３５】
また他の手段は、使用者が室内で乾燥する衣類の量を指定する衣類量指定手段を備え、衣類の量が多いと指定された場合、制御手段は加熱手段を作動させる所定の値または加熱運転を行う所定の値を衣類の量が少ないと指定された場合よりも低くする衣類乾燥機である。
【００３６】
この手段により、衣類の量を考慮して衣類が最も速く乾燥するように除湿と加熱と換気を組み合わせた制御を行う衣類乾燥機が得られる。
【００３７】
また他の手段は、使用者が室内で乾燥する衣類の量を指定する衣類量指定手段を備え、衣類の量が多いと指定された場合、制御手段は加熱運転と除湿運転とを切替える所定の値を、衣類の量が少ないと指定された場合よりも低くする衣類乾燥機である。
【００３８】
この手段により、衣類の量を考慮して衣類が最も速く乾燥するように除湿と加熱と換気を組み合わせた制御を行う衣類乾燥機が得られる。
【００３９】
また他の手段は、使用者が室内で乾燥する衣類の量を指定する衣類量指定手段を備え、衣類の量が多いと指定された場合、制御手段は除湿運転の前に加熱運転を行う所定の値を、衣類の量が少ないと指定された場合よりも低くする衣類乾燥機である。
【００４０】
この手段により、衣類の量を考慮して衣類が最も速く乾燥するように除湿と加熱と換気を組み合わせた制御を行う衣類乾燥機が得られる。
【００４１】
また他の手段は、使用者が室内で乾燥する衣類の量を指定する衣類量指定手段を備え、衣類の量が多いと指定された場合、制御手段は衣類の量が少ないと指定された場合よりも換気量を大きくする衣類乾燥機である。
【００４２】
この手段により、衣類の量を考慮して衣類が最も速く乾燥するように換気量を設定する衣類乾燥機が得られる。
【発明の効果】
【００４３】
本発明によれば、換気による給気の湿度によって、衣類が最も速く乾燥するように除湿と加熱と換気を組み合わせた制御を行う衣類乾燥機を提供できる。
【００４４】
また、蒸発器を分割することなく除湿と加熱を切替える衣類乾燥機を提供できる。
【００４５】
また、十分な加熱量を確保する衣類乾燥機を提供できる。
【００４６】
また、室内または換気による給気の温度によって、衣類が最も速く乾燥するように除湿と加熱と換気を組み合わせた制御を行う衣類乾燥機を提供できる。
【００４７】
また、除湿をしながら換気を行う場合に衣類が最も速く乾燥するように換気量を設定する衣類乾燥機を提供できる。
【００４８】
また、簡易な構造で換気による給気の温度または湿度を推測する衣類乾燥機を提供できる。
【００４９】
また、衣類の量を考慮して衣類が最も速く乾燥するように除湿と加熱と換気を組み合わせた制御を行う衣類乾燥機を提供できる。
【発明を実施するための最良の形態】
【００５０】
本発明の請求項１記載の発明は、換気せずに室内空気の絶対湿度を低下させる除湿運転と室内空気を加熱する加熱運転を行うことができる除湿加熱手段と、前記除湿加熱手段の除湿運転と加熱運転とを切替える運転切替え手段と、室内の空気を排出する換気運転を行う換気手段と、換気による給気の湿度を検知する給気湿度検知手段と、前記除湿加熱手段と前記運転切替え手段と前記換気手段を制御する制御手段を備え、前記制御手段は前記給気湿度検知手段の検知した湿度が所定の値よりも低い場合に前記換気手段により換気運転を行うとともに前記除湿加熱手段と前記運転切替え手段により加熱運転を行う衣類乾燥機であり、換気による給気の湿度が比較的低い場合には換気によって室内の湿気を効率よく排出することができ、同時に加熱によって室内の温度を比較的高くすることができるため、加熱と換気を行うことにより除湿を行う場合よりも衣類を速く乾燥させることが可能であり、換気による給気の湿度が比較的低い場合に衣類が最も速く乾燥するように除湿と加熱と換気を組み合わせた制御を行う衣類乾燥機を提供することができる。
【００５１】
また本発明の請求項２記載の発明は、圧縮機、凝縮器、膨張弁、蒸発器と室内の空気を吸って再び室内に空気を吹出す送風手段からなる空調手段と、前記空調手段の室内空気の絶対湿度を低下させる除湿運転と室内空気を加熱する加熱運転とを切替える運転切替え手段と、室内の空気を排出する換気運転を行う換気手段と、換気による給気の湿度を検知する給気湿度検知手段と、前記空調手段と前記運転切替え手段と前記換気手段を制御する制御手段を備え、前記制御手段は前記給気湿度検知手段の検知した湿度が所定の値よりも低い場合に前記換気手段により換気運転を行うとともに前記空調手段と前記運転切替え手段により加熱運転を行う衣類乾燥機であり、換気による給気の湿度が比較的低い場合には換気によって室内の湿気を効率よく排出することができ、同時に加熱によって室内の温度を比較的高くすることができるため、加熱と換気を行うことにより除湿を行う場合よりも衣類を速く乾燥させることが可能であり、換気による給気の湿度が比較的低い場合に衣類が最も速く乾燥するように除湿と加熱と換気を組み合わせた制御を行う衣類乾燥機を提供することができる。
【００５２】
また本発明の請求項３記載の発明は、運転切替え手段は、換気手段による換気風路と送風手段による循環風路のいずれかの風路上に蒸発器が配置されるように風路を切替えるダンパーである衣類乾燥機であり、除湿運転をする場合には蒸発器が循環風路上に配置されるように風路を切替え、加熱運転をする場合には蒸発器が換気風路上に配置されるように風路を切替えることにより、蒸発器を分割することなく除湿と加熱を切替える衣類乾燥機を提供することができる。
【００５３】
また本発明の請求項４記載の発明は、衣類を乾燥させる室とは異なる室から排気する別室換気手段を備え、運転切替え手段は、前記別室換気手段による別室換気風路と送風手段による循環風路のいずれかの風路上に蒸発器が配置されるように風路を切替えるダンパーである衣類乾燥機であり、加熱運転をする場合には蒸発器が別室換気風路上に配置されるように風路を切替えることにより、加熱されていない別室の空気を利用して加熱運転をする場合に必要な冷熱の排出を十分に行うことができるため、十分な加熱量を確保する衣類乾燥機を提供することができる。
【００５４】
また本発明の請求項５記載の発明は、制御手段は給気湿度検知手段の検知した湿度が所定の値よりも高い場合に除湿運転を行う衣類乾燥機であり、換気による給気の湿度が比較的高い場合には換気によって室内の湿気を効率よく排出することができないため、除湿を行うことにより加熱と換気を行う場合よりも衣類を速く乾燥させることが可能であり、換気による給気の湿度が比較的高い場合に衣類が最も速く乾燥するように除湿と加熱と換気を組み合わせた制御を行う衣類乾燥機を提供することができる。
【００５５】
また本発明の請求項６記載の発明は、室内の温度を検知する室内温度検知手段を備え、制御手段は前記室内温度検知手段の検知した温度が所定の値よりも低い場合には加熱運転を行い、所定の値よりも高い場合には除湿運転を行う衣類乾燥機であり、低温時には除湿量が低下するため、はじめから除湿を行う場合よりも室温が上昇した後に除湿を始めることで衣類を速く乾燥させることが可能であり、室内の温度が比較的低い場合に衣類が最も速く乾燥するように除湿と加熱と換気を組み合わせた制御を行う衣類乾燥機を提供することができる。
【００５６】
また本発明の請求項７記載の発明は、換気による給気の温度を検知する給気温度検知手段を備え、制御手段は前記給気温度検知手段が検知した温度が所定の値よりも低い場合には除湿運転を行う前に加熱運転を行う衣類乾燥機であり、低温時には除湿量が低下するため、はじめから除湿を行う場合よりもはじめに加熱をして室温が上昇した後に除湿を始めることで衣類を速く乾燥させることが可能であり、室内の温度が比較的低い場合に衣類が最も速く乾燥するように除湿と加熱と換気を組み合わせた制御を行う衣類乾燥機を提供することができる。
【００５７】
また本発明の請求項８記載の発明は、室内の温度を検知する室内温度検知手段を備え、制御手段は前記室内温度検知手段が検知した温度が所定の値よりも高い場合には換気手段により換気運転を行う衣類乾燥機であり、高温時には除湿量が低下するため、除湿のみを行う場合よりも換気をして室温上昇を抑制しながら除湿を行うことにより衣類を速く乾燥させることが可能であり、室内の温度が比較的高い場合に衣類が最も速く乾燥するように除湿と加熱と換気を組み合わせた制御を行う衣類乾燥機を提供することができる。
【００５８】
また本発明の請求項９記載の発明は、換気による給気の温度を検知する給気温度検知手段を備え、制御手段は前記給気温度検知手段が検知した温度が所定の値よりも高い場合には換気手段により換気運転を行う衣類乾燥機であり、低温時には除湿量が低下するため、はじめから除湿を行う場合よりもはじめに加熱をして室温が上昇した後に除湿を始めることで衣類を速く乾燥させることが可能であり、室内の温度が比較的低い場合に衣類が最も速く乾燥するように除湿と加熱と換気を組み合わせた制御を行う衣類乾燥機を提供することができる。
【００５９】
また本発明の請求項１０記載の発明は、制御手段は給気湿度検知手段が検知した湿度が低いほど換気量が大きくなるように換気手段を制御する衣類乾燥機であり、給気の湿度が低いほど換気によって室内の湿気を排出する効果が大きいため、換気量を大きくすることにより室温上昇の抑制と湿気排出の促進の両方の効果から衣類を速く乾燥させることが可能であり、除湿をしながら換気を行う場合に衣類が最も速く乾燥するように換気量を設定する衣類乾燥機を提供することができる。
【００６０】
また本発明の請求項１１記載の発明は、制御手段は室内温度検知手段または給気温度検知手段が検知した温度が高いほど換気量が大きくなるように換気手段を制御する衣類乾燥機であり、室内の温度が高いほど室温上昇を抑制する必要性が大きく、また換気による給気温度が高いほど室温上昇を抑制する効果が小さいため、換気量を大きくすることにより室温上昇の抑制の効果を大きくして衣類を速く乾燥させることが可能であり、除湿をしながら換気を行う場合に衣類が最も速く乾燥するように換気量を設定する衣類乾燥機を提供することができる。
【００６１】
また本発明の請求項１２記載の発明は、衣類を乾燥させる室とは異なる室から排気する別室換気手段を備え、前記別室換気風路内に給気温度検知手段または給気湿度検知手段を配置した衣類乾燥機であり、簡易な構造で換気による給気の温度または湿度を推測する衣類乾燥機を提供することができる。
【００６２】
また本発明の請求項１３記載の発明は、使用者が室内で乾燥する衣類の量を指定する衣類量指定手段を備え、衣類の量が多いと指定された場合、制御手段は加熱手段を作動させる所定の値または加熱運転を行う所定の値を衣類の量が少ないと指定された場合よりも低くする衣類乾燥機であり、衣類の量が多い場合には衣類から蒸発する水分の量が多くなるため衣類の量が少ない場合よりも換気を多く行う必要があり、換気量を大きくすると加熱によって温めた室内の空気をより多く排出することになるので効率が悪くなり、結果的に換気による給気がある湿度のときには加熱と換気よりも除湿の方が有利になるため、上記のように制御することにより衣類の量を考慮して衣類が最も速く乾燥するように除湿と加熱と換気を組み合わせた制御を行う衣類乾燥機を提供することができる。
【００６３】
また本発明の請求項１４記載の発明は、使用者が室内で乾燥する衣類の量を指定する衣類量指定手段を備え、衣類の量が多いと指定された場合、制御手段は加熱運転と除湿運転とを切替える所定の値を、衣類の量が少ないと指定された場合よりも低くする衣類乾燥機であり、大量の水分が蒸発するときに蒸発潜熱が奪われ、加熱をしても室内温度の上昇は比較的遅くなり、その間室内の湿気は排出されないため、上記のように制御することにより衣類の量を考慮して衣類が最も速く乾燥するように除湿と加熱と換気を組み合わせた制御を行う衣類乾燥機を提供することができる。
【００６４】
また本発明の請求項１５記載の発明は、使用者が室内で乾燥する衣類の量を指定する衣類量指定手段を備え、衣類の量が多いと指定された場合、制御手段は除湿運転の前に加熱運転を行う所定の値を、衣類の量が少ないと指定された場合よりも低くする衣類乾燥機であり、大量の水分が蒸発するときに蒸発潜熱が奪われ、加熱をしても室内温度の上昇は比較的遅くなり、その間室内の湿気は排出されないため、上記のように制御することにより衣類の量を考慮して衣類が最も速く乾燥するように除湿と加熱と換気を組み合わせた制御を行う衣類乾燥機を提供することができる。
【００６５】
また本発明の請求項１６記載の発明は、使用者が室内で乾燥する衣類の量を指定する衣類量指定手段を備え、衣類の量が多いと指定された場合、制御手段は衣類の量が少ないと指定された場合よりも換気量を大きくする衣類乾燥機であり、衣類の量が多い場合には衣類から蒸発する水分量が多くなるため、上記のように制御することにより衣類の量を考慮して衣類が最も速く乾燥するように除湿と加熱と換気を組み合わせた制御を行う衣類乾燥機を提供することができる。
【００６６】
（実施の形態１）
実施の形態１の衣類乾燥機について、図１〜図５を参照しながら説明する。
【００６７】
衣類乾燥機は天井裏に設置され、室内には衣類を吊るすための竿が少なくとも１本あるものとする。衣類乾燥機は竿に吊るされた衣類を乾かすためのものである。衣類乾燥機が設置される室としては主に浴室を想定しているが、他にも脱衣室、サウナ室、衣類乾燥専用室、あるいは空き部屋等の居室や廊下としてもよい。いずれの室においても天井に衣類乾燥機が存在し、衣類乾燥機の下方に竿等が存在し、竿等に複数の衣類が吊るされている状況を想定している。
【００６８】
まずは衣類乾燥機の構成について図１を参照しながら説明する。図１は衣類乾燥機を真上から見た状態を示す断面構成図である。
【００６９】
衣類乾燥機は、除湿加熱手段および空調手段としての圧縮機１、凝縮器２、膨張弁３、蒸発器４からなる冷凍サイクルを備える。凝縮器２を通る空気は冷媒との熱交換の結果加熱され、蒸発器４を通る空気は逆に冷却される。通過する空気が冷却されて露点温度を下回る場合は結露が発生し、空気中に含まれる水分が除去される。除去された水分は水受け５（図示せず）に溜められ、ポンプ６（図示せず）によってドレン水として屋外に排出される。ポンプ６は衣類乾燥機が除湿運転をしている間断続的に動作してドレン水を排出するものとするが、水受け５に水位センサー等を設置して水がある程度溜まったらドレン水を排出するようにしてもよい。なお冷凍サイクルは圧縮機１、凝縮器２、膨張弁３、蒸発器４の順に冷媒が循環するように構成されているものとするが、冷媒管等の図示は省略する。
【００７０】
また衣類乾燥機は制御手段としてのマイクロコンピューター７（以下、マイコン７と呼ぶ）を備える。マイコン７は各種の情報を入力し、判断を行い、衣類乾燥機の動作を指示する。マイコン７はタイマー機能及び記憶機能を有し、必要に応じて時間を測定したり情報を記憶したりすることができるものとする。マイコン７による判断の詳細なフローは後述する。マイコン７と各種センサー、モーター等とは信号線等で連結されているものとするが、信号線等の図示は省略する。
【００７１】
また衣類乾燥機は除湿加熱手段の一部としての、また送風手段としての送風ファン８（点線にて図示）、送風ファン８を動作させるためのモーター９（図示せず）、室内から空気を吸込む吸込み口１０と吸込み口１１、室内に空気を吹出す吹出し口１２を備える。
【００７２】
送風ファン８はクロスフローファンまたはシロッコファンとし、素材としては耐熱性の樹脂または金属製とする。送風ファン８及びモーター９の選定に当たっては、一例として風量が２００〜４００［ｍ3／ｈ］程度得られるようにする。
【００７３】
吸込み口１０と吸込み口１１はそれぞれに開閉を行うダンパー１３、１４（図示せず）とモーター１５、１６（図示せず）を備え、必要に応じて吸込み口１０、１１を開くようにマイコン７がモーター１５、１６を制御する。
【００７４】
また衣類乾燥機は換気手段としての換気ファン１７、換気ファン１７を動作させるためのモーター１８、室内から空気を吸込む吸込み口１９、空気を屋外に排出する排気口２０を備える。
【００７５】
換気ファン１７は空気を吸込むときに圧力が必要な場合にも風量が確保できるようにシロッコファンとし、素材としては樹脂または金属製とする。モーター１８は風量を変えられるようにＤＣモーターとする。換気ファン１７及びモーター１８の選定に当たっては、一例として風量が０〜４００［ｍ3／ｈ］程度得られるようにする。吸込み口１９は開閉を行うダンパー２１とモーター２２（いずれも図示せず）を備え、必要に応じて吸込み口１９を開くようにマイコン７がモーター２２を制御する。
【００７６】
また衣類乾燥機は別室換気手段としての吸気口２３を備え、前述した換気ファン１７、モーター１８、排気口２０も別室換気手段として働く。吸気口２３はダクト２４（図示せず）を介して衣類を乾燥させる室とは異なる室（以下、別室と呼ぶ）の換気用吸込み口２５（図示せず）と連結されており、別室換気手段全体として別室の空気を吸って屋外に排出することができる。別室は衣類を乾燥させる室の換気経路上の風上にあたる隣室を想定しており、衣類を乾燥させる室を浴室とした場合には脱衣室が最も適している。
【００７７】
また衣類乾燥機は給気温度検知手段としての温度センサー２６と給気湿度検知手段としての湿度センサー２７を備える。温度センサー２６はサーミスタとし、湿度センサー２７は測定範囲が０〜１００％までと広く、かつ応答性のよい高分子膜湿度センサーとする。
【００７８】
温度センサー２６と湿度センサー２７は吸気口２３の内部に設置され、換気ファン１７を作動させ別室の空気を排気している際に別室の温湿度を検知することができる。温度センサー２６と湿度センサー２７を別室ではなく衣類乾燥機本体内部の別室換気経路上に配置することにより、マイコン７と各センサーを連結する信号線を本体内部に配置するだけでよくなり、構造が簡易となる。別室の温湿度が換気によって室内へ供給される空気の温湿度とほぼ等しいと考えられることから、温度センサー２６と湿度センサー２７によって簡易な構造で換気による給気の温湿度を推測することができるようになる。
【００７９】
また衣類乾燥機は除湿運転と加熱運転の運転切替え手段としてのダンパー２８〜３０を備える。ダンパー２８〜３０はそれぞれモーター３１〜３３（図示せず）を備え、モーター３１〜３３はマイコン７の指示を受けてダンパーの開閉を行う。
【００８０】
ここで、除湿運転と加熱運転を行う際のダンパーの動作について図２を参照しながら説明する。図２は衣類乾燥機を真上から見た状態を示す断面構成図である。ダンパーが点線になっている箇所はダンパーが開いた状態であることを示す。吸込み口、換気口が点線になっている箇所は口が閉じた状態であることを示す。
【００８１】
はじめに加熱運転時の換気風路Ｖと循環風路Ｃについて図２（ａ）を参照しながら説明する。図２（ａ）は加熱運転時の衣類乾燥機を示す断面構成図である。ダンパー２８、２９は開いた状態にし、ダンパー３０は閉じた状態にする。また吸込み口１９も閉じた状態にする。図２（ａ）の矢印Ｖ１〜Ｖ４は換気風路Ｖでの空気の動きを示し、矢印Ｃ１は循環風路Ｃでの空気の動きを示している。
【００８２】
加熱運転時の換気風路Ｖについて説明する。吸気口２３から別室の空気が本体内に入る（Ｖ１）と同時に吸込み口１０から室内の空気が本体内に入り（Ｖ２）、両者の空気は混合した状態で蒸発器４を通過しながら冷媒と熱交換を行い、冷却される。その後冷却された空気は換気ファン１７によって排気口２０から屋外に排出され（Ｖ３、Ｖ４）、これにより冷熱を排出することができる。室内だけでなく加熱されていない別室からも換気を行いその空気で冷熱を排出することによって、室内の湿気を排出しながら加熱量を十分確保することが可能となる。
【００８３】
もしも室内からの換気ですべての冷熱を排出しようとすると、浴室内の加熱された空気を冷やして屋外に排出することになるので、排出する空気の温度が別室からの換気も利用した場合と比較して高くなるため、加熱量が不十分になってしまう可能性がある。
【００８４】
加熱運転時の循環風路Ｃについて説明する。室内の空気が吸込み口１１から本体内に吸込まれ、凝縮器２を通過するときに加熱され（Ｃ１）、最後に送風ファン８によって吹出し口１２から室内に送り出される。これにより室内空気を加熱することができる。
【００８５】
以上の換気風路Ｖと循環風路Ｃによって衣類乾燥機は室内空気を加熱するとともに換気することができる。室内を換気する必要のない場合には吸込み口１０を閉じた状態にすれば良い。加熱運転時には、圧縮機１に投入されたエネルギーに冷凍サイクルの熱効率を掛けた分のエネルギーに、換気による移動を加えた（または差し引いた）エネルギーが室内空気を加熱することになる。
【００８６】
次に除湿運転時の風路について図２（ｂ）を参照しながら説明する。図２（ｂ）は除湿運転時の衣類乾燥機を示す断面構成図である。ダンパー２８、２９は閉じた状態にし、ダンパー３０は開いた状態にする。また吸込み口１１も閉じた状態にする。図２（ｂ）の矢印Ｖ５、Ｖ６は換気風路Ｖでの空気の動きを示し、矢印Ｃ２、Ｃ３は循環風路Ｃでの空気の動きを示している。
【００８７】
除湿運転時の換気風路Ｖについて説明する。吸込み口１９から本体内部に吸込まれた室内の空気（Ｖ５）が換気ファン１７によって排気口２０から屋外に排出される（Ｖ６）。このとき換気量は換気ファン１７のモーター１８によって調節できるようにしておく。
【００８８】
加熱運転時の循環風路Ｃについて説明する。吸込み口１０から本体内に吸込まれた室内の空気が、はじめに蒸発器４を通過して冷却および除湿され（Ｃ２）、次に凝縮器２を通過して加熱され（Ｃ３）、最後に送風ファン８によって吹出し口１２から室内に送り出される。これにより室内空気を除湿することができる。
【００８９】
以上の換気風路Ｖと循環風路Ｃによって衣類乾燥機は室内空気を除湿するとともに換気することができる。室内を換気する必要のない場合には吸込み口１９を閉じた状態にし、換気ファン１７を停止させれば良い。除湿運転時には圧縮機１に投入されたエネルギーと水分が蒸発器４に結露する際の蒸発潜熱が室内空気を加熱することになる。
【００９０】
このようにダンパー２８〜３０の制御によって風路を変えることにより、蒸発器４を分割することなく加熱運転と除湿運転を切替えることが可能となる。従って冷媒の配管を一通りとすることができ、構造が簡易になるとともに価格を抑えることができる。
【００９１】
また衣類乾燥機は、使用者が衣類乾燥機を操作するための操作板３４（図示せず）を備える。操作板３４は衣類を乾燥させる室やその隣の室に設置され、電源を入れるボタン３４ａ、運転を開始するボタン３４ｂ、運転終了までの時間を指示するボタン３４ｃ、残り時間を表示する表示板３４ｄ（いずれも図示せず）を備える。衣類乾燥のための運転モードの他にも暖房や換気や送風のための運転モード等を設定し、モードを選択するためのボタンを備えるようにしてもよい。操作板３４はマイコン７に接続され、使用者が指示した内容をマイコン７が受け取って衣類乾燥機の制御を行う。
【００９２】
また衣類乾燥機は、金属製または樹脂製の筐体３５及び樹脂製の化粧パネル３６（図示せず）を備える。筐体３５は天井裏に設置される。
【００９３】
ここで、各構成要素の関係を図３に示す。図３は各構成要素間の情報の流れを示すブロック図である。各種の情報はマイコン７に集約され、マイコン７は衣類乾燥機に動作の指示を出すという流れになっている。なおここではダンパー毎に１つずつモーターが備えられているとしたが、同時に動かすダンパー（例えばダンパー２８とダンパー２９）はまとめて一つのモーターで動かす構成にした方が価格を抑えることができる。
【００９４】
次に、衣類乾燥機の動作の概要について図４を参照しながら説明する。図４は衣類乾燥機の動作を示すフロー図である。なお衣類乾燥機には衣類乾燥のための運転モード以外にも暖房、換気、送風等を行う運転モードを設定してもよいが、衣類乾燥以外の運転モードの動作については説明を省略する。
【００９５】
はじめに使用者が電源を入れて運転時間を指定した後、運転を開始する（Ｓ０１）。マイコン７はその情報を受け取ると、まず湿度センサー２７を用いて換気による給気の湿度φvと温度Ｔvを検知する（Ｓ０２）。マイコン７はφvが設定値φ1よりも小さいかどうかを判断し（Ｓ０３）、φvがφ1よりも小さい場合、加熱運転と換気運転を行って（Ｓ０４）衣類を乾燥させる。またφvがφ1以上である場合、次にマイコン７はＴvが設定値Ｔ1よりも小さいかどうかを判断する（Ｓ０５）。ＴvがＴ1よりも小さい場合、はじめに加熱運転を行った（Ｓ０６）後に除湿運転を行って（Ｓ０７）衣類を乾燥させる。またＴvがＴ1以上である場合、除湿運転と換気運転を行って（Ｓ０８）衣類を乾燥させる。最後に時間がきたらマイコン７は衣類乾燥機の運転を停止する（Ｓ０９）。
【００９６】
以下、各フローの詳細な内容について説明する。
【００９７】
はじめに運転時間の指定と運転開始（Ｓ０１）について説明する。使用者は運転終了までの時間を指示するボタン３４ｃを操作して運転終了までの時間を指定した後、運転を開始するボタン３４ｂを操作して運転開始を指示する。マイコン７は運転終了までの時間についての情報を受け取って記憶しておき、運転を開始する。
【００９８】
次に給気の湿度φvと温度Ｔvの検知（Ｓ０２）について説明する。マイコン７はモーター３１〜３３に指示を出して、ダンパー２８、２９を開いた状態にし、ダンパー３０を閉じた状態にする。またモーター１５、１８、２２に指示を出して吸込み口１０、１９を閉じた状態にし、換気ファン１７を作動させる。すると別室の空気が給気口２３から排気口２０に向けて流れる。このときの換気量は一例として１００〜２００［ｍ3／ｈ］とする。
【００９９】
マイコン７は換気ファン１７を作動させて１分程度経過した時点の湿度を湿度センサー２７から、また温度を温度センサー２６から読み取り、それぞれ給気の湿度φvと温度Ｔvとして記憶する。別室の温湿度は厳密には給気の温湿度と同じではないが、別室が衣類を乾燥させる室の換気経路上の風上の隣室、あるいはその周辺の室であれば概ね同じ温湿度になると見なすことができる。マイコン７は給気の湿度φvと温度Ｔvを検知した後、換気ファン１７を停止させる。
【０１００】
次に給気の湿度φvが設定値φ1よりも小さいかどうかの判断（Ｓ０３）について説明する。マイコン７には予め設定値φ1が記憶されているようにする。設定値φ1は一例として３０［％ＲＨ］とする。この設定値は衣類乾燥機の除湿・加熱能力、浴室の断熱性能、干される衣類の量などによって最適値が異なるため、予め実験や計算によって検討した上で決定しておくのが良い。マイコン７は検知した給気の湿度φvと設定値φ1を比較する。
【０１０１】
次に加熱運転と換気運転を行う動作（Ｓ０４）について説明する。マイコン７は衣類乾燥機を図２（ａ）で示された状態にし、モーター９、１８に指示を出して送風ファン８と換気ファン１７を作動させると同時に圧縮機１に指示を出して冷凍サイクルを作動させる。このとき送風ファン８による循環風量は一例として２００〜４００［ｍ3／ｈ］とし、換気ファン１７による換気量は一例として３００〜４００［ｍ3／ｈ］とする。またマイコン７は冷凍サイクルを作動させた時点からの時間を測定する。
【０１０２】
ここで、衣類からの水分蒸発は式１によって表される。衣類を速く乾燥させるには、衣類から蒸発した水分をいかに速く室外に排出するかということが重要になる。これは室内の湿気を室外に排出することでＸrを小さくすることができるためである。室内の湿気を室外に排出するためには、換気か除湿を行う必要がある。
2010042189.tif 000003
【０１０３】
除湿によって室内の湿気を除去する場合、換気をしないため、除湿量は換気による給気の湿度状態とは基本的に関係ない。しかし換気によって室内の湿気を排出する場合、排出する湿気の量は式２によって表され、換気による給気の絶対湿度が低いほど同じ換気量で排出できる湿気の量は多くなる。よって給気の絶対湿度が低いほど除湿するよりも換気で湿気を排出した方が有利ということになる。但し換気をすると湿気とともに熱を排出してしまうので、給気の温度が高温になるほど換気が除湿よりも有利ということになる。ここでは給気の温度の影響を考慮して給気の絶対湿度ではなく相対湿度によって除湿をするか加熱と換気をするかを判断するようにしているが、もちろん絶対湿度を検知して絶対湿度で判断するようにしてもよい。
2010042189.tif 000004
【０１０４】
このように換気による給気の湿度が低い場合に換気と加熱で衣類を乾燥させると、室内の温度を大きな加熱量で速く上昇させるとともに換気によって湿気を速く排出させることができ、結果として除湿を行う場合よりも速く衣類を乾燥させることができる。衣類を速く乾燥することができれば使用者の満足感が向上するとともに、運転時間の短縮によって消費エネルギーを抑制することも可能になる。なお衣類の乾燥を自動で検知して衣類乾燥機の運転を停止させるようにすると、さらに消費エネルギーをさらに抑制することができる。
【０１０５】
次に給気の温度Ｔvが設定値Ｔ1よりも小さいかどうかの判断（Ｓ０５）について説明する。Ｓ０３において換気による給気の湿度φvが設定値φ1以上であると判断された場合、基本的に除湿運転によって衣類を乾燥させることになる。換気による給気の湿度が比較的高く、換気による湿気排出の効果が期待できない場合、除湿により加熱と換気を行う場合よりも衣類を速く乾燥させることができる。しかし冷凍サイクルを利用した除湿では低温あるいは高温時に除湿量が低下するという特徴があり、除湿運転を始める前に給気の温度を検知することにより、除湿量の低下に対応する制御を行うことができる。
【０１０６】
マイコン７には予め設定値Ｔ1が記憶されているようにする。設定値Ｔ1は一例として２０［℃］とする。この設定値はφ1と同様、衣類乾燥機の除湿・加熱能力、浴室の断熱性能、干される衣類の量などによって最適値が異なるため、予め実験や計算によって検討した上で決定しておくのが良い。マイコン７は検知した給気の温度Ｔvと設定値Ｔ1を比較する。
【０１０７】
次に加熱運転（Ｓ０６）とその後の除湿運転（Ｓ０７）を行う動作について説明する。給気の温度Ｔvが比較的低温であった場合、室内もやはり低温であると考えられ、除湿運転をした場合に除湿量が小さい可能性が高い。そこで、除湿運転をする前に加熱運転を行うことで室温を上昇させることにより、結果的にはじめから除湿運転を行う場合よりも衣類を速く乾燥させることができる。
【０１０８】
マイコン７は加熱運転をする際、衣類乾燥機を図２（ａ）で示された状態からモーター１５に指示を出して吸込み口１０を閉じた状態にし、モーター９に指示を出して送風ファン８を作動させると同時に圧縮機１に指示を出して冷凍サイクルを作動させる。このとき送風ファン８による循環風量は一例として２００〜４００［ｍ3／ｈ］とする。またマイコン７は冷凍サイクルを作動させた時点からの時間を測定する。このとき室内は換気をしないようにすることで、室温を速く上昇させることができる。加熱運転は一定の時間（例えば５分間）行い、その後除湿運転に切替える。加熱運転を行う時間は給気の温度Ｔvが低いほど長くなるように設定してもよい。
【０１０９】
マイコン７は続いて除湿運転をする際、衣類乾燥機を図２（ｂ）で示された状態からモーター２２に指示を出して吸込み口１９を閉じた状態にし、モーター９に指示を出して送風ファン８を作動させると同時に圧縮機１に指示を出して冷凍サイクルを作動させる。このとき送風ファン８による循環風量は一例として２００〜４００［ｍ3／ｈ］とする。
【０１１０】
次に除湿運転と換気運転を行う動作（Ｓ０８）について説明する。給気の温度Ｔvが比較的高温であった場合、室内もやはり高温であると考えられ、除湿運転をした場合に室温の上昇にともなって除湿量が低下する可能性が高い。そこで、除湿運転と同時に換気運転を行うことにより室温上昇を抑制することができ、結果的に除湿運転のみを行う場合よりも衣類を速く乾燥させることができる。
【０１１１】
マイコン７は衣類乾燥機を図２（ｂ）で示された状態にし、モーター９、１８に指示を出して送風ファン８と換気ファン１７を作動させると同時に圧縮機１に指示を出して冷凍サイクルを作動させる。このとき送風ファン８による循環風量は一例として２００〜４００［ｍ3／ｈ］とする。またマイコン７は冷凍サイクルを作動させた時点からの時間を測定する。
【０１１２】
このとき換気ファン１７による換気量は給気の温湿度によって段階的に変化させるようにする。換気量の変化を含めた衣類乾燥機の制御の一例を図５に示す。図５は給気の温湿度による制御の一例を示す概念図である。図５の縦軸は給気の絶対湿度、横軸は給気の温度を表している。
【０１１３】
除湿と換気をする場合の換気量は図５に示したように給気の湿度が低いほど大きくなるように設定すると、衣類をより速く乾燥させることができる。給気の湿度が高いと換気によって除湿量の低下を抑制できても逆に湿気が室内に流入してしまうことになるが、給気の湿度が低いと換気によって除湿量の低下を抑制できる上に室内の湿気を排出することもでき、効率が良いためである。
【０１１４】
また除湿と換気をする場合の換気量は図５に示したように給気の温度が高いほど大きくなるように設定すると、衣類をより速く乾燥させることができる。これは給気の温度が高いほど除湿量が低下する温度に速く到達してしまうため、換気量を大きくすると温度上昇を大幅に抑制し、除湿量の低下を防ぐことができるためである。
【０１１５】
最後に運転停止の動作（Ｓ０９）について説明する。マイコン７は加熱運転と換気運転（Ｓ０４）または加熱運転の後に除湿運転（Ｓ０６、０７）または除湿運転と換気運転（Ｓ０８）という動作を継続しながら、冷凍サイクルの運転を始めた時点からの時間を測定する。マイコン７が記憶している使用者の指定した運転時間と測定している時間が一致した時点で、マイコン７は圧縮機１に指示を出して冷凍サイクルの運転を停止し、また全てのモーターの運転を停止し、衣類乾燥機の運転を終了する。
【０１１６】
（実施の形態２）
実施の形態２における衣類乾燥機について説明する。
【０１１７】
はじめに衣類乾燥機の構造について図６を参照しながら説明する。図６は衣類乾燥機を真上から見た状態を示す断面構成図である。衣類乾燥機は室内温度検知手段としての温度センサー４０、４１をそれぞれ吸込み口１０、１１の内部に備える。温度センサー４０、４１はともにサーミスタとし、検知した温度情報はマイコン７によって読み取られるように構成する。温度センサー４０、４１以外の構造については実施の形態１に記載の衣類乾燥機と同様であり、各構成要素については説明を省略するとともに、実施の形態１に記載の衣類乾燥機と同じ記号を使用する。
【０１１８】
次に衣類乾燥機の動作の概要について図７を参照しながら説明する。図７は衣類乾燥機の動作を示すフロー図である。Ｓ０１〜Ｓ０６までは実施の形態１と同様であるので説明を省略するとともに実施の形態１に記載の衣類乾燥機と同じ記号を使用するものとする。
【０１１９】
Ｓ０６で加熱運転を開始した後、マイコン７は加熱運転をしながら室内温度Ｔrを検知する（Ｓ０７）。マイコン７は検知された室内温度Ｔrが設定値Ｔ2より小さいかどうかの比較を行い（Ｓ０８）、小さい場合は加熱運転を継続し（Ｓ０７）、そうでない場合は除湿運転を始める（Ｓ０９）。またＳ０５で給気の温度Ｔvが設定値Ｔ1より大きいと判断された場合、マイコン７は室内温度Ｔrを検知し（Ｓ１０）、その結果に応じて換気量を決定した（Ｓ１１）上で除湿運転と換気運転を行う（Ｓ１２）。最後に時間がきたらマイコン７は衣類乾燥機の運転を停止する（Ｓ１３）。
【０１２０】
はじめに加熱運転中の室内温度の検知（Ｓ０７）について説明する。マイコン７はモーター９に指示を出して送風ファン８を作動させ、温度センサー４１を用いて本体内に吸込まれた室内空気の温度Ｔrを測定する。この測定は加熱運転中断続的（例えば１分ごと）に行うことで、室温を逐次観察し、室温が上昇しすぎることを防止するようにする。
【０１２１】
次に室内温度Ｔrが設定値Ｔ2より小さいかどうかの比較（Ｓ０８）について説明する。マイコン７には予め設定値Ｔ2を記憶させておき、室内温度Ｔrを検知するごとに設定値Ｔ2との比較を行う。設定値Ｔ2はその温度まで室温が上昇すれば除湿を行った場合に十分除湿量を確保できるということを示す温度であり、一例として２２［℃］とする。室内温度Ｔrと設定値Ｔ2を比較することにより加熱運転（Ｓ０６）を行う時間を最適化し、実施の形態１の衣類乾燥機のように予め決められた時間だけ加熱運転を行う場合よりも衣類を速く乾燥させることができる。
【０１２２】
室内温度Ｔrが設定値Ｔ2以上であった場合、マイコン７は加熱運転（Ｓ０６）から除湿運転（Ｓ０９）に切替える。除湿運転（Ｓ０９）については実施の形態１の衣類乾燥機の除湿運転（Ｓ０７）と同様であり、ここでの説明は省略する。
【０１２３】
次にＳ０５で給気の温度Ｔvが設定値Ｔ1より大きいと判断された場合の室内温度Ｔrの検知（Ｓ１０）について説明する。マイコン７は衣類乾燥機を図２（ｂ）で示された状態にし、モーター９に指示を出して送風ファン８を作動させ、温度センサー４０を用いて本体内に吸込まれた室内空気の温度Ｔrを測定する。
【０１２４】
次に換気量の決定（Ｓ１１）について説明する。ここでの換気量は除湿運転時の換気量であり、室内が高温になり過ぎるのを防ぎ、除湿量の低下を抑制する意味を持つ。除湿量の低下を抑制すると室内を低湿度の状態に持っていくことができ、除湿のみをした場合よりも衣類を速く乾燥させることができる。このとき室内温度Ｔrが高いほど換気量を大きく設定することにより、除湿量の低下をより効果的に抑制し、衣類をより速く乾燥させることができる。換気量は一例として、２５［℃］までは０［ｍ3／ｈ］、３０［℃］までは３０［ｍ3／ｈ］、３５［℃］までは６０［ｍ3／ｈ］、３５［℃］以上は１００［ｍ3／ｈ］とし、この情報を予めマイコン７に記憶させておく。マイコン７は検知されたＴrと換気量の情報とを比較し、換気量を決定する。
【０１２５】
次に除湿運転と換気運転（Ｓ１２）について説明する。この動作は概ね実施の形態１の衣類乾燥機の除湿運転と換気運転（Ｓ０８）と同様であるが、換気量はＳ１１で決定された換気量にする。Ｓ１２を継続する間、断続的（例えば１０分ごと）に室内温度Ｔrの検知（Ｓ１０）に戻るようにし、室温上昇に対応して換気量を変化させていくものとする。
【０１２６】
最後に運転停止の動作（Ｓ１３）を行う。Ｓ１３は実施の形態１の衣類乾燥機の運転停止の動作（Ｓ０９）と同様である。
【０１２７】
（実施の形態３）
実施の形態３における衣類乾燥機について説明する。
【０１２８】
はじめに衣類乾燥機の構造について説明する。衣類乾燥機は操作板３４に衣類量指定手段としての衣類量切替えボタン３４ｅ（図示せず）を備える。衣類量切替えボタン３４ｅは２または３段階（例えば「多め」と「少なめ」）を設定しておき、使用者は衣類量切替えボタン３４ｅを操作することにより、乾燥させる衣類の量を指定することができる。衣類量切替えボタン３４ｅ以外の構造については実施の形態２に記載の衣類乾燥機と同様であり、各構成要素については説明を省略するとともに、実施の形態２に記載の衣類乾燥機と同じ記号を使用する。
【０１２９】
次に衣類乾燥機の動作について説明する。運転時間の指定と運転開始（Ｓ０１）では、使用者は運転時間を指定する際、同時に乾燥させる衣類の量を衣類量切替えボタン３４ｅによって指定するものとする。指定された衣類の量についての情報は運転時間の情報とともにマイコン７に送られる。
【０１３０】
Ｓ０２以降の動作については実施の形態２に記載の衣類乾燥機と同様であり、各フローについては実施の形態２に記載の衣類乾燥機と同じ記号を使用するとともに、説明を省略する。但しφ1、Ｔ1、Ｔ2及びＳ１１の換気量については実施の形態２に記載の衣類乾燥機と異なるので、以下その部分について説明する。
【０１３１】
はじめに設定値φ1について説明する。衣類の量が多い場合、乾燥時に発生する水分の量も多くなり、それだけ大量の湿気を室内から室外に排出する必要がある。加熱と換気によって衣類を乾燥させる場合、大量の湿気を排出するためにそれだけ多くの換気を行う必要がある。しかし換気量を大きくすること（または同じ換気量で時間を長くすること）は、同時にそれだけ多くの熱を室内から室外に排出することを意味し、効率が悪くなる場合がある。一方除湿によって衣類を乾燥させる場合、大量の湿気を除湿するとそれだけ室内が加熱されることになり、効率としては悪くならない。
【０１３２】
従って加熱と換気によって衣類を乾燥させるか除湿によって衣類を乾燥させるかを判断する設定値φ1を、衣類量が多いと指定された場合には衣類量が少ないと指定された場合よりも低くすることにより、給気がより低い湿度のときまで除湿で衣類を乾燥させることになり、衣類量に応じて衣類をより速く乾燥させることができる。設定値φ1は一例として、衣類量が少ないと指定された場合には３０［％ＲＨ］、衣類量が多いと指定された場合には２０［％ＲＨ］とする。
【０１３３】
次に設定値Ｔ1について説明する。衣類の量が多い場合、大量の水分が蒸発するため、蒸発潜熱が奪われ、加熱をしても室内温度の上昇は比較的遅くなる。さらに浴室の断熱性能が低い場合には室内温度はさらに上昇しにくくなり、加熱運転（Ｓ０６）をする時間が必要以上に長くなってしまい、その間室内の湿気は排出されないことになるので、結果的に衣類の乾燥が遅くなってしまう可能性がある。
【０１３４】
従ってはじめに加熱運転を行うかはじめから除湿運転を行うかを判断する設定値Ｔ1を、衣類量が多いと指定された場合には衣類量が少ないと指定された場合よりも低くすることにより、給気がより低い温度のときまではじめから除湿で衣類を乾燥させることになり、衣類量に応じて衣類をより速く乾燥させることができる。設定値Ｔ1は一例として、衣類量が少ないと指定された場合には２０［℃］、衣類量が多いと指定された場合には１５［℃］とする。
【０１３５】
次に設定値Ｔ2について説明する。Ｔ1と同様の理由により、加熱運転（Ｓ０６）から除湿運転（Ｓ０９）へと切替えるかどうかを判断する設定値Ｔ2を、衣類量が多いと指定された場合には衣類量が少ないと指定された場合よりも低くすることにより、室内温度がより低い温度のときに加熱から除湿へと運転を切替えることになり、衣類量に応じて衣類をより速く乾燥させることができる。設定値Ｔ2は一例として、衣類量が少ないと指定された場合には２５［℃］、衣類量が多いと指定された場合には２０［℃］とする。
【０１３６】
最後に除湿運転と換気運転（Ｓ１１）を行う際の換気量について説明する。衣類の量が多い場合、大量の水分が蒸発する。換気量を大きくすることは湿気とともに熱の排出を促進することになるが、衣類の量が大きいと大量の水分が蒸発するため、室内の湿気は比較的多くなる一方で室内の温度上昇は鈍くなり、湿気と熱のバランスが変わるため、換気量が大きい方が衣類乾燥には有利となる。従って衣類量が多いと指定された場合には衣類量が少ないと指定された場合よりも換気量を大きくすることにより、衣類量に応じて衣類をより速く乾燥させることができる。換気量は一例として、２０［℃］までは２０［ｍ3／ｈ］、２５［℃］までは６０［ｍ3／ｈ］、３０［℃］までは１００［ｍ3／ｈ］、３５［℃］までは２００［ｍ3／ｈ］、３５［℃］以上は３００［ｍ3／ｈ］とする。
【産業上の利用可能性】
【０１３７】
本発明の衣類乾燥機は、換気による給気の湿度によって、衣類が最も速く乾燥するように除湿と加熱と換気を組み合わせた制御を行うものであり、浴室のほか、脱衣室、サウナ室、衣類乾燥専用室、空き部屋等の居室等に適用することができる。また住宅以外においても、クリーニング工場、病院、共同住宅、スポーツ施設、宿泊施設等の衣類乾燥室に適用することができる。
【図面の簡単な説明】
【０１３８】
【図１】本発明の実施の形態１に記載の衣類乾燥機を示す断面構成図
【図２】（ａ）実施の形態１に記載の加熱運転時の衣類乾燥機を示す断面構成図、（ｂ）実施の形態１に記載の除湿運転時の衣類乾燥機を示す断面構成図
【図３】実施の形態１に記載の各構成要素間の情報の流れを示すブロック図
【図４】実施の形態１に記載の衣類乾燥機の動作を示すフロー図
【図５】実施の形態１に記載の給気の温湿度による制御の一例を示す概念図
【図６】本発明の実施の形態２に記載の衣類乾燥機を示す断面構成図
【図７】実施の形態２に記載の衣類乾燥機の動作を示すフロー図
【図８】従来の衣類乾燥機を示す断面構成図
【符号の説明】
【０１３９】
１    圧縮機
２    凝縮器
３    膨張弁
４    蒸発器
７    マイクロコンピューター
８    送風ファン
９    モーター
１０  吸込み口
１１  吸込み口
１２  吹出し口
１７  換気ファン
１８  モーター
１９  吸込み口
２０  排気口
２３  吸気口
２６  温度センサー
２７  湿度センサー
２８  ダンパー
２９  ダンパー
３０  ダンパー
４０  温度センサー
４１  温度センサー
【図１】
2010042189.tif 000005
【図２】
2010042189.tif 000006
【図３】
2010042189.tif 000007
【図４】
2010042189.tif 000008
【図５】
2010042189.tif 000009
【図６】
2010042189.tif 000010
【図７】
2010042189.tif 000011
【図８】
2010042189.tif 000012